(57)【要約】      （修正有）【課題】障害で唯一動くのは、首からうえだけの人がベッドで寝た状態や座位でのスマホを支持・保持して操作するためのスマホホルダーであって、電話やメールが容易に操作を行うことができるスマホホルダーを提供する。【解決手段】寝た状態や座位での操作するためのスマホホルダーであって、くけ台に接着し面ファスナーが貼り付けられた合板７と、各面に面ファスナーが貼り付けられた直角二等辺三角柱の発泡スチロール２からなり、合板７と発泡スチロール２の面ファスナーと発泡スチロール２の面ファスナー同士を貼り付けることで、直角二等辺三角柱の発泡スチロール２の斜面にスマホ６を上下に支持・保持する。【選択図】図６
0003208403.tif 000002
【実用新案登録請求の範囲】
【請求項１】
寝た状態や座位での操作するためのスマホホルダーであって、スマホホルダーは、くけ台と合板と直角二等辺三角形の発泡スチロールから成り、マジックテープ各面に接着する、スマホケースの裏面にもマジックテープを張り付け接着する事で直角二等辺三角形の発泡スチロールの斜面にスマホを上下に支持・保持することを特徴とするスマホホルダー。
【考案の詳細な説明】
【技術分野】
【０００１】  本考案は、障害で唯一動くのは、首からうえだけの人がベッドで寝た状態や座位でのスマホを支持・保持して操作するためのスマホホルダーである。
【背景技術】
【０００２】  既設のスマホホルダーはテーブルの上で操作が出来る様に成っている為テーブルの下からスマホの画面をタッチペンを口に銜えて操作する事は不可能です。既設のスマホスタンドが有りますが、スタンドが蛇腹なのでスマホの画面を下向きに出来ますがホームボタンを押すと押した方向に、逃げてボタンを押す事が出来ない為オーバーテーブルに固定の出来るスマホホルダーが有ればタッチペンを口に銜える事で操作が可能になる。オーバーテーブル用スマホホルダーを使用する必要がある。【０００３】  手が使えない人においては、ベッドで寝た状態や座位でのスマホの操作する事は困難である。既設のスマホホルダーは健常者しか使用できない欠点が有り、ベッドで寝た状態や座位でのスマホの操作する事は困難である。【０００４】  手が使えなくてベッドで寝た状態や座位でスマホの操作は既設のスマホホルダーでは操作が出来ない。【０００５】  既設のスマホホルダーで操作する場合、手が使えなくてベッドで寝た状態や座位でスマホの操作はできないためには操作に制約を受けることなく使用できる。オーバーテーブル用スマホホルダーが求められる。このため解決する課題は４つである。
【先行技術文献】
【特許文献】
【０００６】
【特許文献１】特開  ２００７−２１２９８６号公報
【考案の概要】
【考案が解決しようとする課題】
【０００７】  第一にテーブルの下から操作できること、第二にスマホが安定して支持・保持できること、第三にタッチペンを口に銜えたてスマホ操作を行う為、寝込んで口に銜えたタッチペンが口から落とさないこと、第四に単純な構造で価格も安いものであること。
【課題を解決するための手段】
【０００８】  長さ８０ｍｍ幅７０ｍｍ高さ８０ｍｍの直角二等辺三角形の発泡スチロールの垂直面と水平面と斜面にマジックテープの雄を貼り付け接着ます。スマホケースの裏面にカメラの穴を塞がない様にマジックテープの雌を貼り付け接着ます。高さ２５０ミリ幅７０ミリ厚み３ミリの合板の裏面下部右左隅に和裁で使う机上くけ台を接着。合板の表面にマジックテープの雌を貼り付け接着ます。寝た状態で使用する時はオーバーテーブルに机上くけ台挟みねじ取り付け発泡スチロールの斜面を下にして合板の表面に発泡スチロールの垂直面を密着してタッチペンを口に銜えて操作する。高さ調節は垂直面がマジックテープなので上げ下げで行う事が可能です。タッチペンとスマホの間隔の調節はオーバーテーブルを前後左右に移動することが可能なので操作に最適な位置を決める事が出来る。タッチペンを口に銜えたてスマホ操作を行う為、寝込んで口に銜えたタッチペンが口から落とさないようにタッチペンの上部にマウスピースを挿し取り付け接着する事で口を開けた時でも上歯に挟まっているのでタッチペンは落ちる事無くいつでも操作は可能である。また、座位での使用は発泡スチロールの斜面を上にして合板の表面に張り付け密着、タッチペンを口に銜えて。操作する。
【考案の効果】
【０００９】  本考案したスマホホルダーをオーバ＾テーブルに挟み取り付ける事で前後左右上下に移動させることが可能である。すなわち使用したいスマホを前もって自分が操作しやすい位置に決める事で操作が可能である。
【図面の簡単な説明】
【００１０】
【図１】既設のスマホスタンドの斜面図
【図２】オーバーテーブルの斜面図
【図３】支持と保持のため机上くけ台を合板に接着した状態の斜面図
【図４】合板の表面とスマホケースの裏面にマジックテープの雌を接着した状態の斜面図
【図５】発泡スチロールの垂直面・水平面・斜面にマジックテープの雄を接着した状態の斜面図
【図６】本実施の形態に係わる下向きのスマホホルダーに取り付けた状態を示す斜視図
【図７】本実施の形態に係わる上向きのスマホホルダーに取り付けた状態を示す斜視図
【図８】スマホのタッチペンの上部にマウスピースを挿し付けた状態の斜面図
【図９】スマホとスマホケースの斜面図
【考案を実施するための形態】
【００１１】  本発明の実施形態を、図２、図３、図４、図５、図６、図７、図８、図９で示す。
スマホホルダーの支持と保持のためのくけ台（万力）が健常者の腕と成り直角二等辺三角形の発泡スチロールが健常者の手の役目となり口に銜えたタッチペンが指にあたります。このことで手が使えない人がベッドで寝た状態や座位での状態でもスマホの操作が容易となる。
【実施例】
【００１２】  図２はオーバーテーブルの斜視図である。くけ台と合板１は、直角二等辺三角形の発泡スチロール２から構成されている。オーバーテーブルの利用者側にくけ台を挟み取り付け合板の表のマジックテープ雌４に直角二等辺三角形の発泡スチロールのマジックテープ雄３を図６の様に密着、利用者の口の位置に合わせて、上下左右前後に調整してタッチペン８を口に銜えて操作できる。マジックテープなので着脱が可能である。図７の様も出来る家族が外出して家にだれも居なくても何か事がおきた時にスマホで家族と連絡が取れるから安心です。
スマホはパソコンと同じなので調べたい事が有れば簡単に調べる事が出来る。
暇つぶしにゲームも出来る。
今まではラジオを聴きながら不安の中で家族の帰りを待つ事も無くなりました。
【符号の説明】
【００１３】１  和裁で使われる、くけ台（万力）と合板
２  直角二等辺三角形の発泡スチロール
３  マジックテープ雄
４  マジックテープ雌
５  スマホ
６  スマホケース
７  幅７０ミリ高さ２５０ミリ厚み３ミリの合板
８  タッチペン
９  マウスピース
【図１】
0003208403.tif 000003
【図２】
0003208403.tif 000004
【図３】
0003208403.tif 000005
【図４】
0003208403.tif 000006
【図５】
0003208403.tif 000007
【図６】
0003208403.tif 000008
【図７】
0003208403.tif 000009
【図８】
0003208403.tif 000010
【図９】
0003208403.tif 000011
【手続補正書】
【提出日】平成28年10月12日(2016.10.12)
【手続補正１】
【補正対象書類名】実用新案登録請求の範囲
【補正対象項目名】全文
【補正方法】変更
【補正の内容】
【実用新案登録請求の範囲】
【請求項１】
寝た状態や座位での操作するためのスマホホルダーであって、くけ台に接着し面ファスナーが貼り付けられた合板と、各面に面ファスナーが貼り付けられた直角二等返三角柱の発泡スチロールからなり、合板と発泡スチロールの面ファスナーと発泡スチロールの面ファスナー同士を貼り付けることで、直角二等返三角柱の発泡スチロールの斜面にスマホを上下に支持・保持することを特徴とするスマホホルダー。